(57)【要約】【課題】利用者にとっての利便性を向上させることができる管理装置およびプログラムを提供することである。【解決手段】実施形態の管理装置は管理装置側通信部と制御部とを持つ。管理装置側通信部は端末装置または自動改札機と通信する。制御部は、端末装置からログイン情報を受け付けた場合、第１画像要求情報に基づいて第１画像を端末装置に表示させるための情報を端末装置に送信し、自動改札機から受信された第２画像要求情報に基づいて第２画像を端末装置に表示させるための情報を端末装置に送信し、第１画像を端末装置に表示させるための情報を端末装置に送信してから、第２画像を表示した端末装置が自動改札機に翳されるまでの間に、第１画像を端末装置に表示させるための情報を生成する基となったログイン情報と同じログイン情報を受け付けた場合、第１画像または第２画像と同様に機能する画像を端末装置に表示させるための情報を端末装置に送信する。【選択図】図１
2018032163.tif 000002
【特許請求の範囲】
【請求項１】
端末装置または自動改札機と通信する管理装置側通信部と、
前記管理装置側通信部により端末装置からログイン情報を受け付けた場合、前記管理装置側通信部により前記端末装置から受信された第１画像要求情報に基づいて、前記端末装置の利用者が駅構内に入場するための入場用情報を含む第１画像を前記端末装置に表示させるための情報を生成し、前記管理装置側通信部を用いて、前記生成した情報を前記端末装置に送信し、
前記管理装置側通信部により前記自動改札機から受信された第２画像要求情報に基づいて、前記端末装置の利用者が駅構外に出場するための出場用情報を含む第２画像を前記端末装置に表示させるための情報を生成し、前記管理装置側通信部を用いて、前記生成した情報を前記端末装置に送信し、
前記第１画像を前記端末装置に表示させるための情報を生成して前記端末装置に送信してから、前記第２画像を表示した端末装置が自動改札機に翳されるまでの間に、前記第１画像を前記端末装置に表示させるための情報を生成する基となったログイン情報と同じログイン情報を、前記管理装置側通信部により端末装置から受け付けた場合、前記第１画像または前記第２画像と同様に機能する画像を前記端末装置に表示させるための情報を、前記管理装置側通信部を用いて前記端末装置に送信する制御部と、
を備える管理装置。
【請求項２】
前記制御部は、前記第１画像を表示した端末装置が自動改札機に翳されるまでの間に、前記第１画像を前記端末装置に表示させるための情報を生成する基となったログイン情報と同じログイン情報を、前記管理装置側通信部により端末装置から受け付けた場合、前記第１画像と同様に機能する画像を前記端末装置に表示させるための情報を、前記管理装置側通信部を用いて前記端末装置に送信する、
請求項１記載の管理装置。
【請求項３】
前記制御部は、
前記第１画像から乗車券としての効力情報を含む情報を光学的に取得する光学的取得部を備え、前記光学的取得部により前記効力情報を含む情報が取得されたことに応じて前記第１画像を表示した端末装置が翳されたことを通知する前記自動改札機からの前記通知を取得することで、前記第１画像を表示した端末装置が前記自動改札機に翳されたことを検知する、
請求項２記載の管理装置。
【請求項４】
前記制御部は、前記第１画像を表示した端末装置が自動改札機に翳された後、前記第１画像を前記端末装置に表示させるための情報を生成する基となったログイン情報と同じログイン情報を、前記管理装置側通信部により端末装置から受け付けた場合、前記第２画像と同様に機能する画像を前記端末装置に表示させるための情報を、前記管理装置側通信部を用いて前記端末装置に送信する、
請求項１から３のうちいずれか１項記載の管理装置。
【請求項５】
前記制御部は、
前記第２画像から乗車券としての効力情報を含む情報を光学的に取得する光学的取得部を備え、前記光学的取得部により前記効力情報を含む情報が取得されたことに応じて前記第２画像を表示した端末装置が翳されたことを通知する前記自動改札機からの前記通知を取得することで、前記第２画像を表示した端末装置が自動改札機に翳されたことを検知し、前記端末装置の利用者に課金する課金額を決定する、
請求項４記載の管理装置。
【請求項６】
管理装置のコンピュータが、
端末装置からログイン情報を受け付けた場合、管理装置側通信部により前記端末装置から受信された第１画像要求情報に基づいて、前記端末装置の利用者が駅構内に入場するための入場用情報を含む第１画像を前記端末装置に表示させるための情報を生成し、前記管理装置側通信部を用いて、前記生成した情報を前記端末装置に送信させ、
自動改札機から受信された第２画像要求情報に基づいて、前記端末装置の利用者が駅構外に出場するための出場用情報を含む第２画像を前記端末装置に表示させるための情報を生成し、前記管理装置側通信部を用いて、前記生成した情報を前記端末装置に送信させ、
前記第１画像を前記端末装置に表示させるための情報を生成して前記端末装置に送信してから、前記第２画像を表示した端末装置が自動改札機に翳されるまでの間に、前記第１画像を前記端末装置に表示させるための情報を生成する基となったログイン情報と同じログイン情報を、前記管理装置側通信部により端末装置から受け付けた場合、前記第１画像または前記第２画像と同様に機能する画像を前記端末装置に表示させるための情報を、前記管理装置側通信部を用いて前記端末装置に送信させる、
プログラム。
【発明の詳細な説明】
【技術分野】
【０００１】
本発明の実施形態は、管理装置、およびプログラムに関する。
【背景技術】
【０００２】
従来、自動改札機を通過するのに必要な各種情報がエンコードされたＱＲコード（登録商標）などの画像を、端末装置の表示画面に表示させたものを乗車券として利用する技術が知られている。自動改札機の側では、画像をカメラなどで撮像し、画像解析によって各種情報を読み取って通過可否の判定を行う。この技術においては、例えば端末装置に不具合等が生じた場合に、通過可否の判定をすることができなくなる場合がある。このため、利用者にとって利便性が十分でなくなる可能性があった。
【先行技術文献】
【特許文献】
【０００３】
【特許文献１】特開２０１２−１５５３７１号公報
【発明の概要】
【発明が解決しようとする課題】
【０００４】
本発明が解決しようとする課題は、利用者にとっての利便性を向上させることができる管理装置、およびプログラムを提供することである。
【課題を解決するための手段】
【０００５】
実施形態の管理装置は、管理装置側通信部と、制御部とを持つ。管理装置側通信部は、端末装置または自動改札機と通信する。制御部は、前記管理装置側通信部により端末装置からログイン情報を受け付けた場合、前記管理装置側通信部により前記端末装置から受信された第１画像要求情報に基づいて、前記端末装置の利用者が駅構内に入場するための入場用情報を含む第１画像を前記端末装置に表示させるための情報を生成し、前記管理装置側通信部を用いて、前記生成した情報を前記端末装置に送信し、前記管理装置側通信部により前記自動改札機から受信された第２画像要求情報に基づいて、前記端末装置の利用者が駅構外に出場するための出場用情報を含む第２画像を前記端末装置に表示させるための情報を生成し、前記管理装置側通信部を用いて、前記生成した情報を前記端末装置に送信し、前記第１画像を前記端末装置に表示させるための情報を生成して前記端末装置に送信してから、前記第２画像を表示した端末装置が自動改札機に翳されるまでの間に、前記第１画像を前記端末装置に表示させるための情報を生成する基となったログイン情報と同じログイン情報を、前記管理装置側通信部により端末装置から受け付けた場合、前記第１画像または前記第２画像と同様に機能する画像を前記端末装置に表示させるための情報を、前記管理装置側通信部を用いて前記端末装置に送信する。
【図面の簡単な説明】
【０００６】
【図１】第１の実施形態における鉄道利用管理システム１の構成の一例を示す図。
【図２】端末装置１０の構成の一例を示す図。
【図３】乗車券購入アプリ３１が起動された際に、端末装置１０のタッチパネル部に乗車券購入のための入力画面が表示された様子を示す図。
【図４】第１の実施形態における自動改札機１００を上方から見た図。
【図５】第１の実施形態における自動改札機１００の読取部１１１を上方から見た図。
【図６】第１の実施形態における自動改札機１００の機能構成の一例を示す図。
【図７】第１の実施形態におけるセンターサーバ装置３００の機能構成の一例を示す図。
【図８】決済用情報データベース３３２の一例を示す図。
【図９】効力情報データベース３３４の一例を示す図。
【図１０】入場情報データベース３３６の一例を示す図。
【図１１】出場情報データベース３３８の一例を示す図。
【図１２】第１の実施形態における鉄道利用管理システム１の処理（その１）の流れの一例を示すシーケンス図。
【図１３】鉄道利用管理システム１の処理（その２）の流れの一例を示すシーケンス図。
【図１４】効力情報データベース３３４において、レコードが削除または無効化される様子の一例を示す図。
【図１５】鉄道利用管理システム１の処理（その３）の流れの一例を示すシーケンス図。
【図１６】第１の実施形態における端末装置１０による処理の流れの一例を示すフローチャート。
【図１７】第１の実施形態における自動改札機１００による処理の流れの一例を示すフローチャート。
【図１８】第１の実施形態におけるセンターサーバ装置３００による処理の流れの一例を示すフローチャート。
【図１９】駅務装置２５０およびセンターサーバ装置３００により実行される処理の流れの一例を示すフローチャート。
【図２０】乗車券購入アプリ３１が起動された際に、端末装置１０のタッチパネル部に乗車券購入のための入力画面が表示された様子の他の例を示す図。
【図２１】第２の実施形態における自動改札機１００Ａによる処理の流れの一例を示すフローチャート。
【発明を実施するための形態】
【０００７】
以下、実施形態の管理装置、およびプログラムを、図面を参照して説明する。実施形態の鉄道利用管理システムは、鉄道の駅における入出場の管理を行うシステムである。
【０００８】
（第１の実施形態）
［全体構成］
図１は、第１の実施形態における鉄道利用管理システム１の構成の一例を示す図である。鉄道利用管理システム１は、例えば、端末装置１０−１から１０−ｎ（「ｎ」は任意の自然数）と、複数の自動改札機１００と、複数の駅務サーバ装置２００と、複数の駅務装置２５０と、センターサーバ装置３００とを備える。各駅には、少なくとも一つの自動改札機１００、駅務サーバ装置２００、および駅務装置２５０が設置される。以下、端末装置１０−１から１０−ｎを区別しない場合は、単に端末装置１０と称する。
【０００９】
端末装置１０は、利用者によって利用される携帯可能な端末装置である。端末装置１０は、例えば、スマートフォンなどの携帯電話、タブレット端末、ＰＤＡ（Personal Digital Assistant）などである。端末装置１０は、自動改札機１００に翳す媒体として利用される。すなわち、鉄道利用管理システム１では、端末装置１０が乗車券として利用される。端末装置１０の画面上には、端末装置１０を乗車券として機能させるための読取画像ＣＤが表示される。この読取画像ＣＤは、利用者が自動改札機１００を通過する際に自動改札機１００によって読み取られる。読取画像ＣＤは、例えば、ＱＲコード等の二次元コードや、バーコード等の一次元コード等である。これらの各種コードは、例えば、乗車券としての効力情報、または効力情報とその他情報とを含めた情報がエンコードされたものである。効力情報は、例えば、有効期間、入場駅（発駅）の識別情報、乗車可能区間、読取画像ＣＤのそれぞれを識別するコード識別情報（コードＩＤ）等を含む情報である。また、その他情報は、例えば、端末装置１０における設定言語等を含む情報である。なお、読取画像ＣＤは、機械（自動改札機１００）によって内容が認識可能であると共に、人が視認することによって内容が認識できないものであれば如何なる態様であってもよい。
【００１０】
自動改札機１００は、例えば、駅の改札口に設けられる。自動改札機１００は、端末装置１０の表示画面に表示された読取画像ＣＤから情報を読み取ることによって、利用者の通過を許可または禁止する。なお、本実施形態において自動改札機１００は、読取画像ＣＤのみを処理可能な装置として説明するがこれに限られない。例えば、自動改札機１００は、更に、交通系ＩＣカードや磁気券、コードが印刷された紙券などを並行して処理可能な装置であってもよい。
【００１１】
駅務サーバ装置２００は、例えば、ＬＡＮ（Local Area Network）等のネットワークを介して自動改札機１００と通信を行う。また、駅務サーバ装置２００は、自動改札機１００から取得した情報を、ＬＡＮやＷＡＮ（Wide Area Network）、セルラー通信網、インターネット等を含むネットワークＮＷを介して、センターサーバ装置３００に送信する。更に、駅務サーバ装置２００は、センターサーバ装置３００から受信した情報を自動改札機１００等に送信する。駅務装置２５０は、駅務サーバ装置２００を介して、センターサーバ装置３００と通信する。
【００１２】
センターサーバ装置３００は、駅務サーバ装置２００およびネットワークＮＷを介して自動改札機１００から受信した情報に基づいて、種々の処理を行う。また、センターサーバ装置３００は、端末装置１０とネットワークＮＷを介して通信を行う。センターサーバ装置３００は、「管理装置」の一例である。
【００１３】
以下、端末装置１０、自動改札機１００、駅務装置２５０、およびセンターサーバ装置３００についてそれぞれ説明する。
【００１４】
［端末装置］
まず、端末装置１０について説明を行う。図２は、端末装置１０の構成の一例を示す図である。端末装置１０は、例えば、操作部１１と、表示部１２と、端末側通信部１３と、乗車券購入処理部１４と、端末側記憶部３０とを備える。操作部１１は、例えば、ボタン、キーボード、マウス、マイク、タッチパネル等のユーザインターフェースである。なお、表示部１２がタッチパネルである場合、操作部１１の一部は表示部１２と一体として形成される。操作部１１は、利用者による、読取画像ＣＤを表示部１２に表示させるための入力操作を受け付ける。
【００１５】
表示部１２は、例えば、ＬＣＤ（Liquid Crystal Display）や有機ＥＬ（Electroluminescence）ディスプレイなどの表示装置を含む。表示部１２は、乗車券購入処理部１４によって出力される情報に基づいて各種画像を表示する。以下、操作部１１と表示部１２が一体として形成されたものをタッチパネル部と称して説明する。
【００１６】
端末側通信部１３は、図示しない無線基地局により仲介されるセルラー網やＷｉ−Ｆｉ網、専用回線、プロバイダ、インターネット等を介してセンターサーバ装置３００と通信する。
【００１７】
乗車券購入処理部１４は、ＣＰＵ（Central Processing Unit）等のプロセッサが端末側記憶部３０に記憶されたプログラム（例えば乗車券購入アプリ３１）を実行することにより実現される。プログラムは、例えば、ネットワークＮＷを介してアプリケーションサーバからダウンロードされてもよいし、ＳＤカードなどの可搬型記憶媒体に格納されたものが端末装置１０にインストールされてもよい。また、乗車券購入処理部１４の機能のうち一部または全部は、ＬＳＩ（Large Scale Integration）、ＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。
【００１８】
端末側記憶部３０は、例えば、ＲＯＭ（Read Only Memory）、フラッシュメモリ、ＨＤＤ（Hard Disk Drive）、ＳＤカード等の不揮発性の記憶媒体と、ＲＡＭ（Random Access Memory）、レジスタ等の揮発性の記憶媒体とによって実現される。端末側記憶部３０は、プロセッサが実行する乗車券購入アプリ３１等のプログラムを格納する。
【００１９】
図３は、乗車券購入アプリ３１が起動された際に、端末装置１０のタッチパネル部に乗車券購入のための入力画面が表示された様子を示す図である。この入力画面は、予めユーザ登録をしておき、例えばユーザＩＤやパスワードなどのログイン情報を入力してログインした後に、所定の操作をすることで表示される。例えば、乗車券購入アプリ３１がタッチ操作されるなどして起動すると、乗車券購入処理部１４は、乗車券購入のための入力画面を端末装置１０に表示させる。入力画面には、日本語や英語といった端末装置１０の設定言語を設定するための領域Ａ１、乗車区間を指定するための領域Ａ２、乗車券の効力が有効開始となる乗車日を指定するための領域Ａ３、乗車券の発行要求を確定するためのボタンＢ１、乗車券の再発行の要求をするためのボタンＢ２などが設けられてよい。乗車券の再発行の要求をするためのボタンＢ２には、入場用および出場用の乗車券の再発行を要求するためのボタンが含まれる。端末装置１０の設定言語は、乗車券購入アプリ３１内での設定言語であってもよいし、端末装置１０のＯＳ（Operating System）の設定言語であってもよい。また、乗車券購入処理部１４は、端末側通信部１３を用いて、入力されたユーザＩＤおよびパスワードを、センターサーバ装置３００に送信する。
【００２０】
また、入力画面には、乗車券購入に係る費用の決済方式を指定するための領域（不図示）などが設けられていてもよい。このような入力画面は、乗車券購入アプリ３１へのログインが完了した後に表示されてよい。上述した領域に各種情報が入力されて、図中「ＹＥＳ」ボタンが操作されると、乗車券の発行要求が確定する。この場合、乗車券購入処理部１４は、端末側通信部１３を用いて、入力された情報を画像要求情報（画像リクエスト）としてセンターサーバ装置３００に送信する。
【００２１】
［自動改札機］
次に、自動改札機１００の説明を行う。図４は、第１の実施形態における自動改札機１００を上方から見た図である。自動改札機１００は、例えば、通路を挟んで対向配置される主機１１０と従機１３０とを備えてよい。主機１１０は、例えば、読取部１１１と、上面表示部１１２と、正面表示部１１３と、扉部１１４および１１５と、改札機側制御部１５０とを備える。また、従機１３０は、読取部１３１と、上面表示部１３２と、正面表示部１３３と、扉部１３４および１３５とを備える。
【００２２】
主機１１０の読取部１１１は、図４に示すａ方向に通過しようとする利用者によって翳された端末装置１０により表示された読取画像ＣＤを撮像し、画像データを改札機側制御部１５０に送信する。
【００２３】
上面表示部１１２は、読取部１１１に対して端末装置１０が翳された場合に、改札機側制御部１５０によって処理された結果、またはセンターサーバ装置３００から受信した情報に基づく画像を表示する。正面表示部１１３は、図４に示すａ方向に通過可能であるか否かを示すマークや図形、文字等を表示する。正面表示部１１３の表示内容または表示の有無は、改札機側制御部１５０によって決定される。
【００２４】
一方、従機１３０の読取部１３１は、図４に示すｂ方向に通過しようとする利用者によって翳された端末装置１０に表示された読取画像ＣＤを撮像し、画像データを改札機側制御部１５０に送信する。上面表示部１３２は、読取部１３１に対して端末装置１０が翳された場合に、改札機側制御部１５０によって処理された結果、またはセンターサーバ装置３００から受信した情報に基づく画像を表示する。正面表示部１３３は、図４に示すｂ方向に通過可能であるか否かを示すマークや図形、文字等を表示する。正面表示部１３３の表示内容または表示の有無は、改札機側制御部１５０によって決定される。
【００２５】
改札機側制御部１５０は、図４に示すａ方向への利用者の通過を許可する動作モードに自動改札機１００が設定されている場合、扉部１１５および１３５を開放状態に維持すると共に、扉部１１４および１３４を開放状態または閉止状態に制御することで、ａ方向の利用者の通過を許可または禁止する。また、改札機側制御部１５０は、図４に示すｂ方向への利用者の通過を許可する動作モードに自動改札機１００が設定されている場合、扉部１１４および１３４を開放状態に維持すると共に、扉部１１５および１３５を開放状態または閉止状態に制御することで、ｂ方向の利用者の通過を許可または禁止する。
【００２６】
また、自動改札機１００の動作モードには、図４に示すａ方向の通過とｂ方向の通過との双方を許可する動作モードが含まれていてもよい。この場合、改札機側制御部１５０は、例えば、利用者が通過中でなければ正面表示部１１３と正面表示部１３３の双方に通過を許可することを示すマークや図形、文字等を表示させる制御を行う。また、改札機側制御部１５０は、例えば、利用者がａ方向およびｂ方向のいずれかの側から進入し、読取部１１１と読取部１３１とのいずれか一方に端末装置１０が翳されると、他方の読取部を無効化すると共に、利用者が進入してきていない側の表示部（正面表示部１１３または正面表示部１３３）に、通過を禁止することを示すマークや図形、文字等を表示させる制御を行う。
【００２７】
なお、自動改札機１００は、上述したように利用者が双方向に通過可能なものに限らず、主機と補機（従機）により構成される、利用者が一方向にのみ通過可能なものであってもよい。
【００２８】
図５は、第１の実施形態における自動改札機１００の読取部１１１を上方から見た図である。読取部１１１は、例えば、タッチ面表示部ＰＮおよびカメラＣＡＭを備える。タッチ面表示部ＰＮは、例えば、ＬＣＤや有機ＥＬディスプレイであり、上方から見てカメラＣＡＭの周囲に配置される。カメラＣＡＭは、利用者によって自機前に翳された物体を撮像する。例えば、表示画面に読取画像ＣＤが表示された端末装置１０が利用者によって翳されると、カメラＣＡＭは、端末装置１０の表示画面を撮像する。カメラＣＡＭは、例えば、ＣＣＤ（Charge-Coupled Device）やＣＭＯＳ（Complementary Metal Oxide Semiconductor）等のイメージセンサを有する。なお、図５に示す読取部１１１の構成は、従機１３０の読取部１３１にも同様に適用してもよい。すなわち、従機１３０の読取部１３１は、タッチ面表示部ＰＮおよびカメラＣＡＭを含む構成であってもよい。
【００２９】
図６は、第１の実施形態における自動改札機１００の機能構成の一例を示す図である。自動改札機１００は、図４に示す構成の他、例えば、外部装置と通信を行う改札機側通信部１４５と、改札機側制御部１５０の指示に従って音声を出力するスピーカ１４０と、種々の情報を格納する改札機側記憶部１７０とを更に備える。改札機側制御部１５０は、通信制御部１５２と、画像処理部１５４と、通過可否判定部１５６と、通過制御部１５８とを備える。上述した読取部１１１、１３１と画像処理部１５４とを合わせたものは、「光学読取部」の一例である。
【００３０】
改札機側制御部１５０の構成要素の一部または全部は、ＣＰＵ等のプロセッサが改札機側記憶部１７０に記憶されたプログラムを実行することにより実現されてよい。また、改札機側制御部１５０の構成要素の一部または全部は、ＬＳＩ、ＡＳＩＣ、ＦＰＧＡ等のハードウェアによって実現され、それぞれの機能を実現するための回路構成を有してもよい。また、改札機側制御部１５０の構成要素の一部または全部は、ソフトウェアとハードウェアの協働によって実現されてもよい。
【００３１】
改札機側記憶部１７０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現されてよい。改札機側記憶部１７０は、プロセッサが実行するプログラムを格納する他、自機が設置された駅の識別情報や、各種表示部に表示させる画像データやテキストデータ、スピーカ１４０に出力させる音声データ、運賃テーブル１７２等を格納する。画像データ、テキストデータ、および音声データは、乗車券購入アプリ３１において設定され得る端末装置１０の設定言語の数に対応した数だけ用意されてよい。運賃テーブル１７２は、例えば、駅の区間に対して運賃が対応付けられた情報である。
【００３２】
通信制御部１５２は、改札機側通信部１４５を用いて、画像処理部１５４による処理結果、読取部１１１（１３１）に読取画像ＣＤが翳された時刻、自機が設置された駅の識別情報などを、駅務サーバ装置２００を介してセンターサーバ装置３００に送信する。また、通信制御部１５２は、改札機側通信部１４５を用いて、センターサーバ装置３００により駅務サーバ装置２００を介して送信された情報を受信してもよい。自機が設置された駅の識別情報（駅ＩＤ）は、予め改札機側記憶部１７０に格納されてよい。
【００３３】
画像処理部１５４は、例えば、読取部１１１（１３１）のカメラＣＡＭにより撮像された画像における読取画像ＣＤの部分を解析して配列情報を取得し、配列情報をデコードして、ビット列などで表されるコンピュータが認識可能な電子情報に変換する。電子情報には、前述した効力情報が含まれる。
【００３４】
通過可否判定部１５６は、画像処理部１５４により取得された情報に基づいて、利用者の通過可否を判定する。
【００３５】
通過制御部１５８は、通過可否判定部１５６による判定結果に基づいて、利用者の通過を許可、あるいは禁止する制御を行う。また、通過制御部１５８は、画像処理部１５４によって読取画像ＣＤが抽出されない場合、または抽出された読取画像ＣＤがデコードされない、あるいはデコードされた結果が無効な場合、利用者の通過を禁止する制御を行う。通過制御部１５８は、通過の許可または禁止の判定に応じて、扉部１１４、１１５、１３４、１３５、スピーカ１４０、上面表示部１１２、１３２、正面表示部１１３、１３３、タッチ面表示部ＰＮ、またはこれらを組み合わせたものを制御する。なお、通過制御部１５８は、画像処理部１５４により取得された情報に、端末装置１０（乗車券購入アプリ３１）における設定言語の情報が含まれている場合、この設定言語に合わせて各種表示部に表示させる画像データ（またはテキストデータ）やスピーカ１４０に出力させる音声データを選択してよい。例えば、設定言語が英語の場合、通過制御部１５８は、改札機側記憶部１７０に格納された各種データから、英字表記されたテキストデータを選択すると共に、英語音声の音声データを選択する。
【００３６】
［駅務装置］
次に、駅務装置２５０について説明を行う。駅務装置２５０は、駅の改札口付近に設置され、駅係員の操作によって各種乗車券を発行したり、各種乗車券を処理したりする機器である。駅務装置２５０は、例えば、操作部と、表示部と、駅務装置側通信部と、情報処理部と、駅務装置側記憶部とを備える。操作部、および表示部の機能構成は、それぞれ端末装置１０の操作部１１、および表示部１２の機能構成と同様であるため説明を省略する。
【００３７】
駅務装置側通信部は、駅務サーバ装置２００を介して端末装置１０、およびセンターサーバ装置３００と通信する。情報処理部は、ＣＰＵ等のプロセッサが駅務装置側記憶部に記憶されたプログラムを実行することにより実現される。情報処理部は、操作部から出力される情報に基づいて、各種処理を実行する。駅務装置側記憶部は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。
【００３８】
［センターサーバ装置］
次に、センターサーバ装置３００の説明を行う。図７は、第１の実施形態におけるセンターサーバ装置３００の機能構成の一例を示す図である。センターサーバ装置３００は、例えば、サーバ側通信部３０５と、サーバ側制御部３１０と、サーバ側記憶部３３０とを備える。
【００３９】
サーバ側制御部３１０は、アプリ連携処理部３１２と、決済処理部３１４とを備える。サーバ側制御部３１０のこれらの構成要素のうち一部または全部は、ＣＰＵ等のプロセッサがサーバ側記憶部３３０に記憶されたプログラムを実行することにより実現される。プログラムは、例えば、ネットワークＮＷを介してアプリケーションサーバからダウンロードされてもよいし、ＳＤカードなどの可搬型記憶媒体に格納されたものがセンターサーバ装置３００にインストールされてもよい。また、サーバ側制御部３１０の構成要素のうち一部または全部は、ＬＳＩ、ＡＳＩＣ、ＦＰＧＡ等のハードウェアによって実現されてもよいし、ソフトウェアとハードウェアの協働によって実現されてもよい。
【００４０】
サーバ側記憶部３３０は、例えば、ＲＯＭ、フラッシュメモリ、ＨＤＤ、ＳＤカード等の不揮発性の記憶媒体と、ＲＡＭ、レジスタ等の揮発性の記憶媒体とによって実現される。サーバ側記憶部３３０は、プロセッサが実行するプログラムを格納する他、後述する決済用情報データベース３３２、効力情報データベース３３４、入場情報データベース３３６、および出場情報データベース３３８を格納する。
【００４１】
図８は、決済用情報データベース３３２の一例を示す図である。図示のように、決済用情報データベース３３２は、乗車券購入アプリ３１の利用者の識別情報であるユーザＩＤに対し、乗車券購入に係る費用の決済方式や、パスワード、利用者が利用することができる利用可能額、端末装置１０を特定するための情報（例えばメールアドレス）などの情報が対応付けられた情報である。ユーザＩＤは、例えば、乗車券購入アプリ３１のログインＩＤであってよい。乗車券購入に係る費用の決済方式は、クレジットカードによるクレジット決済、および指定された口座から利用金額が引き落とされるデビッド決済を含む。決済用情報データベース３３２は、例えば、乗車券購入アプリ３１が起動された端末装置１０により送信された情報を参照することによって随時、レコード（一つのユーザＩＤに対応するデータ）が追加されてよい。なお、端末装置１０の利用者が指定する決済方式や口座番号などを、駅窓口の駅務員や決済代行サービス業者のオペレータなどが専用端末に入力する場合、センターサーバ装置３００は、当該専用端末により出力された情報を参照することで決済用情報データベース３３２を生成してもよい。
【００４２】
図９は、効力情報データベース３３４の一例を示す図である。図示のように、効力情報データベース３３４は、ユーザＩＤに対し、有効期間、入場駅の識別情報（入場駅ＩＤ）、コードＩＤといった効力情報が対応付けられた情報である。効力情報データベース３３４には、例えば、乗車券購入アプリ３１が起動された端末装置１０により送信された情報が随時、レコードとして追加されてよい。
【００４３】
図１０は、入場情報データベース３３６の一例を示す図である。図示のように、入場情報データベース３３６は、コードＩＤに対し、入場時刻、入場駅の識別情報（入場駅ＩＤ）、入出場コードといった情報が対応付けられた情報である。入場情報データベース３３６には、入場処理を行った自動改札機１００により送信された入場情報がレコードとして追加されてよい。
【００４４】
図１１は、出場情報データベース３３８の一例を示す図である。図示のように、出場情報データベース３３８は、コードＩＤに対し、出場時刻、出場駅の識別情報（出場駅ＩＤ）、入出場コードといった情報が対応付けられた情報である。出場情報データベース３３８は、出場処理を行った自動改札機１００により送信された出場情報がレコードとして追加されてよい。
【００４５】
サーバ側通信部３０５は、上述したネットワークＮＷを介して、端末装置１０や自動改札機１００と通信を行う。
【００４６】
アプリ連携処理部３１２は、サーバ側通信部３０５を用いて、乗車券購入アプリ３１が起動された端末装置１０と通信を行い、端末装置１０の画面に表示させる画像を制御する。例えば、アプリ連携処理部３１２は、サーバ側通信部３０５により画像要求情報が受信されると、端末装置１０の画面に読取画像ＣＤを表示させるために画像生成情報を生成し、これを画像要求情報に対するレスポンスとして端末装置１０に送信する。画像生成情報は、例えば、読取画像ＣＤの画像データそのもの、或いは圧縮された画像データであってもよいし、読取画像ＣＤの元となる効力情報などが文字や数値などに変換されたテキストデータまたはバイナリデータであってもよい。また、画像生成情報は、読取画像ＣＤを表示するウェブサイトのＵＲＬ（Uniform Resource Locator）であってもよい。端末装置１０は、画像生成情報をセンターサーバ装置３００から受信すると、画像生成情報に基づいて読取画像ＣＤを表示する。なお、画像生成情報がテキストデータまたはバイナリデータである場合、端末装置１０は、それらのデータに基づく効力情報を読取画像ＣＤにエンコードし、当該読取画像ＣＤをタッチパネル部に描画（レンダリング）する。
【００４７】
決済処理部３１４は、入場用の自動改札機１００および出場用の自動改札機１００の双方において通過が許可された利用者に対して、入場駅から出場駅までの利用区間の運賃（課金額の一例）を算出する。例えば、決済処理部３１４は、入場情報に含まれる入場駅の識別情報と、出場情報に含まれる出場駅の識別情報とに基づいて、利用区間の運賃を算出してよい。そして、決済処理部３１４は、効力情報データベース３３４を参照して、入場情報または出場情報に含まれるコードＩＤに対応付けられた利用者（ユーザＩＤ）を特定し、当該利用者に対して運賃を請求することを決定する。例えば、決済処理部３１４は、決済用情報データベース３３２を参照して、ユーザＩＤごとに設定された決済方式を用いて、予め定められた口座から運賃を引き落とし決済する。なお、実際の決済処理は、クレジット会社や通信キャリア会社の決済サーバなど、外部装置に依頼して行ってもよい。また、決済処理部３１４による決済処理は、利用者が自動改札機１００を通過する度に行われてもよいし、所定期間後に一括して行われてもよい。また、決済処理部３１４による決済処理は、必ずしも利用者が自動改札機１００を通過するタイミングで行われる必要はなく、通過後のいずれかのタイミングで行われてよい。また、決済処理部３１４は、乗車券購入アプリ３１において乗車券が購入された時点、すなわち端末装置１０から画像要求情報を受信した時点で運賃の決済を行ってもよい。
【００４８】
［処理の内容］
以下、鉄道利用管理システム１の一連の処理について説明する。図１２は、第１の実施形態における鉄道利用管理システム１の処理（その１）の流れの一例を示すシーケンス図である。なお、本シーケンスでは、自動改札機１００とセンターサーバ装置３００との通信を仲介する駅務サーバ装置２００については説明を省略している。
【００４９】
まず、端末装置１０は、乗車券購入アプリ３１が起動されると入力画面を表示する（ステップＳ１００）。次に、端末装置１０は、入力画面に入力された情報を含む画像要求情報をセンターサーバ装置３００に送信する（ステップＳ１０２）。
【００５０】
次に、センターサーバ装置３００は、端末装置１０から受信した画像要求情報から効力情報を抽出し、当該効力情報をレコードとして効力情報データベース３３４に記憶させると共に、効力情報を含む画像生成情報を生成する（ステップＳ１０４）。次に、センターサーバ装置３００は、生成した画像生成情報を、画像要求情報に対するレスポンスとして端末装置１０に送信する（ステップＳ１０６）。
【００５１】
次に、端末装置１０は、センターサーバ装置３００から受信した画像生成情報に基づいて、読取画像ＣＤの画像を画面に表示する（ステップＳ１０８）。これによって、利用者は、読取画像ＣＤを表示した端末装置１０を自動改札機１００に翳すことで駅構内に入場することができる。以下、駅構内に入場する際に用いられる読取画像ＣＤを「入場用読取画像」と称して説明する。入場用読取画像は、「第１画像」の一例である。
【００５２】
自動改札機１００は、入場用読取画像を表示した端末装置１０が翳された場合、端末装置１０から入場用読取画像を読み取り、読み取った入場用読取画像から効力情報を取得する（ステップＳ１１０）。次に、自動改札機１００は、取得した効力情報と、現在の時刻情報と、自機が設置された駅の識別情報（すなわち入場駅の識別情報）と、運賃テーブル１７２とに基づいて、入場する利用者の通過可否を判定する（ステップＳ１１２）。以下では、通過が許可されたものとする。
【００５３】
次に、自動改札機１００は、通過を許可すると、取得した効力情報と共に、入場用読取画像が翳された時刻（入場時刻）や自機が設置された駅の識別情報などを含む入場情報をセンターサーバ装置３００に送信する（ステップＳ１１４）。
【００５４】
次に、センターサーバ装置３００は、自動改札機１００から受信した効力情報および入場情報をそれぞれ効力情報データベース３３４と入場情報データベース３３６とに記憶させる（ステップＳ１１６）。
【００５５】
次に、センターサーバ装置３００は、効力情報および入場情報を含む画像生成情報を生成し、当該画像生成情報を端末装置１０に送信する（ステップＳ１１８）。
【００５６】
端末装置１０は、センターサーバ装置３００から効力情報および入場情報を含む画像生成情報を受信すると、当該画像生成情報に基づいて、読取画像ＣＤの画像を生成して画面に表示する（ステップＳ１２０）。これによって、利用者は、効力情報および入場情報を基に生成された読取画像ＣＤが表示された端末装置１０を自動改札機１００に翳すことで駅構外に出場することができる。以下、駅構外に出場する際に用いられる読取画像ＣＤを「出場用読取画像」と称して説明する。出場用読取画像は、「第２画像」の一例である。
【００５７】
自動改札機１００は、出場用読取画像が表示された端末装置１０が翳された場合、端末装置１０から出場用読取画像を読み取り、出場用読取画像から効力情報と入場情報とを取得する（ステップＳ１２２）。次に、自動改札機１００は、例えば、取得した効力情報および入場情報と、現在の時刻情報と、自機が設置された駅の識別情報（すなわち出場駅の識別情報）と、運賃テーブル１７２とに基づいて、出場する利用者の通過可否を判定する（ステップＳ１２４）。以下では、通過が許可されたものとする。
【００５８】
次に、自動改札機１００は、通過を許可すると、取得した効力情報および入場情報と共に、出場用読取画像が翳された時刻（出場時刻）や自機が設置された駅の識別情報（すなわち出場駅の識別情報）などを含む出場情報をセンターサーバ装置３００に送信する（ステップＳ１２６）。
【００５９】
次に、センターサーバ装置３００は、自動改札機１００から受信した効力情報、入場情報、および出場情報を、それぞれ効力情報データベース３３４、入場情報データベース３３６、および出場情報データベース３３８に記憶させる（ステップＳ１２８）。
【００６０】
また、センターサーバ装置３００の決済処理部３１４は、入場情報に含まれる入場駅の識別情報と、出場情報に含まれる出場駅の識別情報とに基づいて、利用区間に係る運賃を算出し、効力情報データベース３３４を参照して、入場情報または出場情報に含まれるコードＩＤに対応付けられた利用者（ユーザＩＤ）に運賃を請求することを決定する（ステップＳ１３０）。
【００６１】
次に、センターサーバ装置３００は、出場情報と、算出した運賃に関する情報（以下、運賃情報と称する）を端末装置１０に送信する（ステップＳ１３２）。これを受けて、端末装置１０は、画面に乗車が完了したことを示す画像や文字などを表示すると共に、乗車に要した運賃を表示する（ステップＳ１３４）。これによって、鉄道利用管理システム１において一人のユーザが入場してから出場するまでの一連の処理が終了する。
【００６２】
次に、利用者が、端末装置１０−１を利用して乗車券を購入した後であり、且つ入場駅の自動改札機１００を通過する前に、利用する端末装置を端末装置１０−２に変更した場合の処理について説明する。図１３は、鉄道利用管理システム１の処理（その２）の流れの一例を示すシーケンス図である。なお、本シーケンスでは、自動改札機１００とセンターサーバ装置３００との通信を仲介する駅務サーバ装置２００については説明を省略している。
【００６３】
まず、端末装置１０−１は、乗車券購入アプリ３１が起動されると入力画面を表示する（ステップＳ２００）。次に、端末装置１０−１は、入力画面に入力された情報を含む画像要求情報をセンターサーバ装置３００に送信する（ステップＳ２０２）。
【００６４】
次に、センターサーバ装置３００は、端末装置１０−１から受信した画像要求情報から効力情報を抽出し、当該効力情報をレコードとして効力情報データベース３３４に記憶させると共に、効力情報を含む画像生成情報を生成する（ステップＳ２０４）。次に、センターサーバ装置３００は、生成した画像生成情報を、画像要求情報に対するレスポンスとして端末装置１０−１に送信する（ステップＳ２０６）。
【００６５】
次に、端末装置１０−１は、センターサーバ装置３００から受信した画像生成情報に基づいて、読取画像ＣＤの画像（第１画像）を画面に表示する（ステップＳ２０８）。ここで、例えば端末装置１０−１に不具合が生じたため、利用者は、利用する端末装置を端末装置１０−１から端末装置１０−２に変更したものとする。このような場合、端末装置１０−１により受信された画像生成情報を、端末装置１０−２に移管できなかったり、移管することが煩雑であったりする場合がある。以下の処理が行われることにより、端末装置１０−２は、端末装置１０−１により受信された画像生成情報を取得し、読取画像ＣＤを画面に表示させることができる。
【００６６】
次に、端末装置１０−２は、乗車券購入アプリ３１が起動されると入力画面を表示する（ステップＳ２１０）。次に、端末装置１０−２は、入力画面に入力された乗車券の再発行の要求を示す情報を含む画像要求情報（第１画像要求情報）をセンターサーバ装置３００に送信する（ステップＳ２１２）。例えば、利用者が、図３で示した入場用の乗車券の再発行を要求するためのボタンＢ２を押下（タップ）すると、端末装置１０−２は、入場用の乗車券の再発行を要求する情報を含む画像要求情報を、センターサーバ装置３００に送信する。
【００６７】
次に、センターサーバ装置３００は、端末装置１０−２から受信した画像要求情報に基づいて、新たに画像生成情報を生成する（ステップＳ２１４）。次に、センターサーバ装置３００は、生成した画像生成情報を、画像要求情報に対するレスポンスとして端末装置１０−２に送信する（ステップＳ２１６）。なお、センターサーバ装置３００は、新たに画像生成情報を生成せずに、ステップＳ２０４で生成した画像生成情報を援用してもよい。
【００６８】
センターサーバ装置３００は、乗車券の再発行を要求する情報を取得すると、効力情報データベース３３４に登録された、入力されたユーザＩＤに対応付けられ、且つ効力を有しているレコード（効力情報）を削除または無効化する。効力を有しているとは、入場駅に入場することができる効力を有していること、または出場駅から出場することができる効力を有していることである。
【００６９】
例えば、利用者が、端末装置１０に表示された読取画像ＣＤの画像（第１画像）を自動改札機１００に翳して入場駅から入場する前である場合、その読取画像ＣＤの生成に用いられた画像生成情報に含まれる効力情報の効力は有効である。一方、利用者が、端末装置１０に表示された読取画像ＣＤの画像（第１画像）を自動改札機１００に翳して入場駅から入場した場合、その読取画像ＣＤの生成に用いられた画像生成情報に含まれる効力情報の効力は有効ではない。
【００７０】
また、利用者が、端末装置１０に表示された読取画像ＣＤの画像（第２画像）を自動改札機１００に翳して出場駅から出場する前である場合、その読取画像ＣＤの生成に用いられた画像生成情報に含まれる効力情報の効力は有効である。一方、利用者が、端末装置１０に表示された読取画像ＣＤの画像（第２画像）を自動改札機１００に翳して出場駅から出場した場合、その読取画像ＣＤの生成に用いられた画像生成情報に含まれる効力情報の効力は有効ではない。
【００７１】
図１４は、効力情報データベース３３４において、レコードが削除または無効化される様子の一例を示す図である。例えば、センターサーバ装置３００が取得したユーザＩＤが「Ｃ」である場合、センターサーバ装置３００のアプリ連携処理部３１２は、効力情報データベース３３４からユーザＩＤ「Ｃ」に対応するレコードを削除または無効化する。なお、効力情報データベース３３４に登録された、入力されたユーザＩＤに対応付けられ、且つ効力を有しているレコード（効力情報）が複数存在する場合、全てのレコードを削除または無効化して、削除した情報に対応する効力情報を新たに生成してもよい。
【００７２】
例えば、アプリ連携処理部３１２は、レコードを無効化する場合、無効化するレコードに対して、そのレコードが有効でないことを示す無効フラグを付与（或いは有効であることを示すフラグを削除）することで、そのレコードを以後、参照しないようにする。そして、アプリ連携処理部３１２は、所定の間隔で、無効フラグを付与したレコードを削除する。アプリ連携処理部３１２は、削除したレコードに付与された効力と同様の効力を示す効力情報を効力情報データベース３３４に登録し、登録した効力情報に基づいて、新たに画像生成情報を生成する。例えば、登録した効力情報の有効期間や、乗車駅ＩＤ等は、削除したレコードに付与されていた効力情報の有効期間や、乗車駅ＩＤ等と同じである。また、アプリ連携処理部３１２は、削除されたレコードの効力情報に付与されていたコードＩＤとは異なるコードＩＤを、登録した効力情報のコードＩＤとして付与する。
【００７３】
このように、新たに画像生成情報が生成される場合、既に利用者に送信した画像生成情報に対応するレコードが削除されるため、既に送信済みの画像生成情報が利用されることを防止することができる。
【００７４】
次に、端末装置１０−２は、センターサーバ装置３００から受信した画像生成情報に基づいて、読取画像ＣＤ−１（第１画像と同様の機能を有する画像の一例）を画面に表示する（ステップＳ２１８）。読取画像ＣＤ−１は、読取画像ＣＤと同様の画像であってもよいし、読取画像とは異なる画像であってもよい。例えば、読取画像ＣＤ−１には、入場駅に入場するための読取画像が再発行されたものであることを示す情報がエンコードされていてもよい。
【００７５】
これによって、利用者は、読取画像ＣＤ−１を表示した端末装置１０を自動改札機１００に翳すことで駅構内に入場することができる。ステップＳ２２０からステップＳ２３０の処理は、それぞれ図１２のステップＳ１１０からステップＳ１２０の処理と同様であるため説明を省略する。なお、ステップＳ２２８において、センターサーバ装置３００は、効力情報および入場情報を含む画像生成情報を端末装置１０−２に送信する。これにより本処理の１ルーチンの処理が終了する。
【００７６】
なお、本処理では、端末装置１０−２がステップＳ２１０からステップＳ２１８の処理を実行するものとして説明したが、端末装置１０−１がステップＳ２１０からステップＳ２１８の処理を実行してもよい。これにより、例えば、画像生成情報が、端末装置１０−１において消去されてしまった場合であっても、端末装置１０−１は、画像生成情報を再度、容易に取得することができる。
【００７７】
上述した処理により、利用者は、利用する端末装置１０を変更した場合であっても、変更前の端末装置１０−１を用いて既に購入していた乗車券を、変更後の端末装置１０−２を用いて容易に取得することができる。
【００７８】
次に、利用者が、端末装置１０−１を利用して乗車券を購入して入場駅の自動改札機１００を通過した後であり、且つ出場駅の自動改札機１００を通過する前に、利用する端末装置を端末装置１０−２に変更した場合の処理について説明する。図１５は、鉄道利用管理システム１の処理（その３）の流れの一例を示すシーケンス図である。なお、本シーケンスでは、自動改札機１００とセンターサーバ装置３００との通信を仲介する駅務サーバ装置２００については説明を省略している。
【００７９】
ステップＳ３００からステップＳ３２０の処理は、それぞれ図１２のステップＳ１００からステップＳ１２０の処理と同様であるため、説明を省略する。
【００８０】
ステップＳ３２０で、端末装置１０−１が、センターサーバ装置３００から効力情報および入場情報を含む画像生成情報を受信すると、当該画像生成情報に基づいて、読取画像ＣＤの画像を生成して画面に表示する。この後、端末装置１０−１に不具合等が生じ、読取画像ＣＤを画面に表示できなくなったものとする。以下の処理が行われることにより、端末装置１０−２は、端末装置１０−１により受信された画像生成情報を取得し、読取画像ＣＤを画面に表示させることができる。
【００８１】
端末装置１０−２は、乗車券購入アプリ３１が起動されると入力画面を表示する（ステップＳ３２２）。次に、端末装置１０−２は、入力画面に入力された乗車券の再発行の要求を示す情報を含む画像要求情報（第２画像要求情報）をセンターサーバ装置３００に送信する（ステップＳ３２４）。例えば、利用者が、図３で示した出場用の乗車券の再発行を要求するためのボタンＢ２を押下（タップ）すると、端末装置１０−２は、出場用の乗車券の再発行を要求する情報を含む画像要求情報を、センターサーバ装置３００に送信する。
【００８２】
次に、センターサーバ装置３００は、端末装置１０−２から受信した画像要求情報に基づいて、新たに画像生成情報を生成する（ステップＳ３２６）。次に、センターサーバ装置３００は、生成した画像生成情報を、画像要求情報に対するレスポンスとして端末装置１０−２に送信する（ステップＳ３２８）。
【００８３】
センターサーバ装置３００は、乗車券の再発行を要求する情報を取得すると、効力情報データベース３３４に登録された、入力されたユーザＩＤに対応付けられ、且つ効力を有しているレコード（効力情報）を削除または無効化する。
【００８４】
アプリ連携処理部３１２は、削除または無効化したレコードに付与された効力と同様の効力を示す効力情報を効力情報データベース３３４に登録し、登録した効力情報に基づいて、新たに画像生成情報を生成する。また、アプリ連携処理部３１２は、削除または無効化されたレコードの効力情報に付与されていたコードＩＤとは異なるコードＩＤを、登録した効力情報のコードＩＤとして付与する。そして、アプリ連携処理部３１２は、入場情報データベース３３６において削除または無効化されたレコードの効力情報に付与していたコードＩＤと同様のコードＩＤを、登録した効力情報に対して付与したコードＩＤに置換する。これにより、新たに生成された効力情報と、削除または無効化された効力情報に対応付けられていた入場情報データベース３３６に含まれる情報とが互いに対応付けられる。
【００８５】
次に、端末装置１０−２は、センターサーバ装置３００から受信した画像生成情報に基づいて、読取画像ＣＤ−２の画像（第２画像と同様の機能を有する画像の一例）を画面に表示する（ステップＳ３３０）。読取画像ＣＤ−２は、読取画像ＣＤと同様の画像であってもよいし、読取画像とは異なる画像であってもよい。例えば、読取画像ＣＤ−２には、出場駅から出場するための読取画像が再発行されたものであることを示す情報がエンコードされていてもよい。これによって、利用者は、読取画像ＣＤを表示した端末装置１０を自動改札機１００に翳すことで駅構外に出場することができる。ステップＳ３３２からステップＳ３４４の処理は、それぞれ図１２のステップＳ１２２からステップＳ１３４の処理と同様であるため説明を省略する。これにより本処理の１ルーチンの処理が終了する。
【００８６】
なお、本処理では、端末装置１０−２がステップＳ３２２からステップＳ３３０の処理を実行するものとして説明したが、端末装置１０−１がステップＳ３２２からステップＳ３３０の処理を実行してもよい。これにより、例えば、画像生成情報が、端末装置１０−１において消去されてしまった場合であっても、端末装置１０−１は、画像生成情報を容易に取得することができる。
【００８７】
以下、鉄道利用管理システム１における個々の装置の処理について説明する。図１６は、第１の実施形態における端末装置１０による処理の流れの一例を示すフローチャートである。まず、端末装置１０の乗車券購入処理部１４は、乗車券購入アプリ３１が起動されるまで休止状態であり（ステップＳ４００）、ログイン情報が入力されて乗車券購入アプリ３１が起動されると起動し、乗車券購入のための入力画面を表示して乗車券の再発行の要求を受け付けたか否かを判定する（ステップＳ４０２）。ここで、利用者により入力されるログイン情報は、最初に乗車券を購入する場合であっても、購入後に当該乗車券を再発行する場合であっても同じである。
【００８８】
乗車券の再発行の要求を受け付けなかった場合、乗車券購入処理部１４は、購入操作を受け付ける（ステップＳ４０４）。次に、乗車券購入処理部１４は、端末側通信部１３を用いて、入力された情報を含む画像要求情報をセンターサーバ装置３００に送信する（ステップＳ４０６）。乗車券の再発行の要求を受け付けた場合、乗車券購入処理部１４は、端末側通信部１３を用いて、受け付けた乗車券の再発行の要求を示す情報をセンターサーバ装置３００に送信する（ステップＳ４０８）。
【００８９】
次に、乗車券購入処理部１４は、端末側通信部１３が１回目の画像生成情報、または再発行の要求に対する画像生成情報を受信するまで待機し（ステップＳ４１０）、画像生成情報が受信されると、タッチパネル部に入場用読取画像を表示させる（ステップＳ４１２）。１回目の画像生成情報に基づいて、表示された画像は、「第１画像」の一例であり、再発行の要求に対する画像生成情報に基づいて、表示された画像は、「第１画像と同様の機能を有する画像」の一例である。
【００９０】
次に、乗車券購入処理部１４は、端末側通信部１３が２回目の画像生成情報を受信するまで待機し（ステップＳ４１４）、画像生成情報が受信されると、画像生成情報を画像にエンコードして出場用読取画像を生成し、当該出場用読取画像（第２画像）をタッチパネル部に表示させる（ステップＳ４１６）。なお、画像生成情報が出場用読取画像の画像データである場合、乗車券購入処理部１４は、読取画像ＣＤの生成処理を省略してよい。
【００９１】
次に、乗車券購入処理部１４は、ログイン情報が入力されて乗車券購入アプリ３１が起動されると起動し、乗車券購入のための入力画面を表示して乗車券の再発行の要求を受け付けたか否かを判定する（ステップＳ４１８）。ここで、利用者により入力されるログイン情報は、最初に乗車券を購入する場合に入力されたログイン情報と同様である。
【００９２】
乗車券の再発行の要求を受け付けた場合、乗車券購入処理部１４は、端末側通信部１３を用いて、出場用の乗車券の再発行の要求を示す情報をセンターサーバ装置３００に送信する（ステップＳ４２０）。次に、乗車券購入処理部１４は、端末側通信部１３が再発行の要求に対する画像生成情報を受信するまで待機し（ステップＳ４２２）、画像生成情報が受信されると、タッチパネル部に出場用読取画像（第２画像と同様の機能を有する画像の一例）を表示させ（ステップＳ４２４）、ステップＳ４２６の処理に進む。
【００９３】
乗車券の再発行の要求を受け付けなかった場合、乗車券購入処理部１４は、端末側通信部１３が出場情報および運賃情報を受信するまで待機し（ステップＳ４２６）、これらの情報が受信されると、タッチパネル部に乗車が完了したことを画像や文字で表示させると共に、乗車利用に要した運賃を表示する（ステップＳ４２８）。これによって、本フローチャートの処理が終了する。
【００９４】
図１７は、第１の実施形態における自動改札機１００による処理の流れの一例を示すフローチャートである。まず、画像処理部１５４は、読取部１１１（１３１）に読取画像ＣＤが翳されるまで待機し（ステップＳ５００）、読取画像ＣＤが翳されると、読取部１１１（１３１）のカメラＣＡＭにより撮像された画像から読取画像ＣＤを抽出し、抽出した読取画像ＣＤをデコードして、読取画像ＣＤに含まれる情報を取得する（ステップＳ５０２）。
【００９５】
次に、通過可否判定部１５６は、画像処理部１５４により取得された情報に入場情報が含まれているか否かを判定する（ステップＳ５０４）。通過可否判定部１５６は、入場情報が含まれていない場合、翳された読取画像ＣＤが入場用読取画像であると判定する。一方、通過可否判定部１５６は、入場情報が含まれている場合、翳された読取画像ＣＤが出場用読取画像であると判定する。
【００９６】
次に、通過可否判定部１５６は、通過可否の判定を行う（ステップＳ５０６）。例えば、翳された読取画像ＣＤが入場用読取画像である場合、通過可否判定部１５６は、効力情報に含まれる入場駅の識別情報と、自機が設けられた駅の識別情報とが合致し、さらに、入場時刻が効力情報の示す有効期間内である場合には、利用者の入場を許可し、他の場合には入場を禁止する。
【００９７】
また、翳された読取画像ＣＤが出場用読取画像である場合、通過可否判定部１５６は、効力情報に含まれる出場駅の識別情報と、自機が設けられた駅の識別情報とが合致し、さらに、出場時刻が効力情報の示す有効期間内である場合には、利用者の出場を許可し、他の場合には出場を禁止する。
【００９８】
また、通過可否判定部１５６は、出場時に翳された読取画像ＣＤから入場情報を取得できない場合、すなわち駅構内側の読取部に本来翳されるべき出場用読取画像ではなく入場用読取画像が翳された場合、出場を禁止する。なお、通過可否判定部１５６は、効力情報に含まれる入場駅または出場駅の識別情報と自駅の識別情報とが合致しなくても入場また出場を許可してもよい。例えば、通過可否判定部１５６は、運賃テーブル１７２を参照して、入場駅から出場駅までの利用区間内における経由駅の識別情報と自駅の識別情報とが合致する場合、すなわち、利用者が購入時に指定した入場駅と異なる経由駅から乗車しようとする場合は入場を許可すると共に、購入時に指定した出場駅と異なる経由駅から降車しようとする場合は出場を許可してよい。この場合、センターサーバ装置３００における決済処理部３１４は、入場情報に含まれる入場駅の識別情報と、出場情報に含まれる出場駅の識別情報とに基づいて運賃を算出するため、購入時に入力した区間に対応した本来の運賃を請求せずに、実際に利用した区間での運賃を請求することができ、利用者にとっての利便性を向上させることができる。
【００９９】
次に、通過制御部１５８は、通過可否判定部１５６により通過を禁止された場合、扉部１１４、１１５、１３４、１３５、スピーカ１４０、上面表示部１１２、１３２、正面表示部１１３、１３３、タッチ面表示部ＰＮを制御して、利用者の通過を防ぐ（ステップＳ５０８）。一方、通過制御部１５８は、通過可否判定部１５６により通過を許可された場合、扉部１１４、１１５、１３４、１３５、スピーカ１４０、上面表示部１１２、１３２、正面表示部１１３、１３３、タッチ面表示部ＰＮを制御して、利用者を通過させる（ステップＳ５１０）。
【０１００】
次に、通信制御部１５２は、改札機側通信部１４５を用いて、画像処理部１５４により取得された情報と、自機が設置された駅の識別情報および読取画像ＣＤが翳された時刻を含む情報（入場情報または出場情報）とをセンターサーバ装置３００に送信する（ステップＳ５１２）。これによって、本フローチャートの処理が終了する。
【０１０１】
図１８は、第１の実施形態におけるセンターサーバ装置３００による処理の流れの一例を示すフローチャートである。
【０１０２】
まず、アプリ連携処理部３１２は、端末装置１０−１からユーザＩＤおよびパスワードを受信するまで待機する（ステップＳ６００）。次に、アプリ連携処理部３１２が、端末装置１０−１からユーザＩＤおよびパスワードを受信すると、受信したユーザＩＤが、決済用情報データベース３３２に登録されたユーザＩＤと一致し、且つ受信したパスワードが、決済用情報データベース３３２に登録されたユーザＩＤに対応付けられたパスワードと一致するか否かを判定する（ステップＳ６０２）。
【０１０３】
ユーザＩＤおよびパスワードのうち一方または双方が一致しない場合、アプリ連携処理部３１２は、ユーザＩＤおよびパスワードのうち一方または双方が一致しないことを示す情報を端末装置１０−１に送信し（ステップＳ６０４）、本フローチャートの処理は終了する。
【０１０４】
ユーザＩＤおよびパスワードのうち双方が一致する場合、アプリ連携処理部３１２は、サーバ側通信部３０５が端末装置１０から乗車券の再発行の要求を示す情報を受信したか否かを判定する（ステップＳ６０６）。乗車券の再発行の要求を示す情報を受信していない場合、アプリ連携処理部３１２は、サーバ側通信部３０５が端末装置１０から画像要求情報を受信したか否かを判定する（ステップＳ６０８）。端末装置１０から画像要求情報を受信した場合、アプリ連携処理部３１２は、画像要求情報に含まれる情報から効力情報を抽出し、抽出した効力情報を用いて入場用読取画像を生成するための画像生成情報を生成し、当該画像生成情報を端末装置１０に送信する（ステップＳ６１０）。
【０１０５】
乗車券の再発行の要求を示す情報を受信した場合は、アプリ連携処理部３１２は、乗車券の再発行の要求を示す情報に対応する画像生成情報を生成し、生成した画像生成情報を端末装置１０に送信する（ステップＳ６１０）。例えば、入場用の乗車券の再発行の要求を示す情報を受信した場合は、アプリ連携処理部３１２は、入場用の画像を端末装置１０に表示させるための画像生成情報を端末装置１０に送信する。例えば、出場用の乗車券の再発行の要求を示す情報を受信した場合は、アプリ連携処理部３１２は、出場用の画像を端末装置１０に表示させるための画像生成情報を端末装置１０に送信する。
【０１０６】
端末装置１０から画像要求情報を受信しない場合、アプリ連携処理部３１２は、サーバ側通信部３０５が自動改札機１００から情報を受信したか否かを判定する（ステップＳ６１２）。自動改札機１００から情報を受信しない場合、本フローチャートの処理は終了する。
【０１０７】
一方、自動改札機１００から情報を受信した場合、アプリ連携処理部３１２は、当該情報に出場情報が含まれているか否かを判定する（ステップＳ６１４）。アプリ連携処理部３１２は、出場情報が含まれていない場合、効力情報および入場情報を用いて出場用読取画像を生成するための画像生成情報を生成し、当該画像生成情報を端末装置１０に送信する（ステップＳ６１６）。
【０１０８】
一方、決済処理部３１４は、出場情報が含まれている場合、入場情報に含まれる入場駅の識別情報と、出場情報に含まれる識別情報とに基づいて、利用区間の運賃を算出する（ステップＳ６１８）。なお、決済処理部３１４は、効力情報が示す利用区間の運賃を算出してもよい。この場合、決済処理部３１４は、端末装置１０から画像要求情報を受信した時点で効力情報を参照し、利用区間の運賃を算出してもよい。
【０１０９】
次に、アプリ連携処理部３１２は、サーバ側通信部３０５を用いて、出場情報および運賃情報を端末装置１０に送信する（ステップＳ６２０）。これによって、本フローチャートの処理が終了する。
【０１１０】
上述した処理では、入場用または出場用の乗車券の再発行の要求を示す情報が端末装置１０から送信されるものとして説明したが、端末装置１０は、入場用の乗車券の再発行の要求であるか、出場用の乗車券の再発行の要求であるかを区別しない要求をセンターサーバ装置３００に送信してもよい。この場合、センターサーバ装置３００は、受信した乗車券の再発行の要求を取得すると、入場情報データベース３３６を参照し、入場用の画像、または出場用の画像を端末装置１０に表示させるための画像生成情報を端末装置１０に送信する。例えば、センターサーバ装置３００は、入場情報データベース３３６に入場時刻や、入場駅の識別情報、入出場コードといった情報が対応付けられていない場合、入場用の画像を端末装置に表示させるための画像生成情報を端末装置１０に送信する。例えば、センターサーバ装置３００は、入場情報データベース３３６に入場時刻や、入場駅の識別情報、入出場コードといった情報が対応付けられている場合、出場用の画像を端末装置１０に表示させるための画像生成情報を端末装置１０に送信する。
【０１１１】
また、上述した実施形態では、同じ読取画像ＣＤが重複して利用される場合が想定される。例えば、いずれかの読取画像ＣＤが表示された端末装置１０において、スクリーンキャプチャなどの機能によって読取画像ＣＤがコピーされたり、読取画像ＣＤが表示された画面がカメラなどで撮像されたりすることで、第三者によって不正に読取画像ＣＤが利用される可能性がある。例えば、決済処理部３１４は、出場情報が出場情報データベース３３８に登録される際に、入場情報データベース３３６に１レコードしかないにも関わらず出場情報データベース３３８に複数レコードが登録されたコードＩＤが存在する場合、一つの入場情報と、複数の出場情報のそれぞれとの組み合わせの全てに対して運賃を算出し、請求するものとしてよい。これによって、購入者のコピーによる不正利用によって被る損害を防止することができる。
【０１１２】
［駅務装置による処理］
以下、利用者が駅構内に入場した後に、端末装置１０に不具合が生じて、出場用読取画像を表示部１２に表示させることができなくなった場合の処理について説明する。なお、本フローチャートでは、自動改札機１００とセンターサーバ装置３００との通信、駅務装置２５０とセンターサーバ装置３００との通信を仲介する駅務サーバ装置２００については説明を省略している。
【０１１３】
本処理では、端末装置１０は、センターサーバ装置３００から効力情報および入場情報を含む画像生成情報を受信し、当該画像生成情報に基づいて、読取画像ＣＤの画像を生成して画面に表示した後に（ステップＳ１２０）、端末装置１０に不具合が生じ、読取画像ＣＤを表示部１２に表示できなくなったものとする。
【０１１４】
この場合、利用者は、駅係員に精算処理を依頼する。例えば、利用者は、自動改札機１００付近に設けられた駅係員が待機している窓口において、端末装置１０に不具合が生じたことを駅係員に伝える。駅係員は、駅務装置２５０を操作することにより、精算処理を行う。
【０１１５】
図１９は、駅務装置２５０およびセンターサーバ装置３００により実行される処理の流れの一例を示すフローチャートである。まず、駅務装置２５０は、駅係員によりユーザＩＤおよびパスワードが操作部に対して入力されるまで待機する（ステップＳ７００）。例えば、駅係員は、利用者からユーザＩＤおよびパスワードを聞き出し、聞き出したユーザＩＤおよびパスワードを、操作部に対して入力する。駅務装置２５０に入力されたユーザＩＤおよびパスワードは、センターサーバ装置３００に送信される。
【０１１６】
センターサーバ装置３００が、駅務装置２５０に入力されたユーザＩＤおよびパスワードを受信すると、受信したユーザＩＤが、決済用情報データベース３３２に登録されたユーザＩＤと一致し、且つ受信したパスワードが、一致したユーザＩＤに対応付けられたパスワードと一致するか否かを判定する（ステップＳ７０２）。ユーザＩＤおよびパスワードのうち一方または双方が一致しない場合、本フローチャートの処理は終了する。
【０１１７】
ユーザＩＤおよびパスワードの双方が一致する場合、センターサーバ装置３００は、ユーザＩＤに対応付けられた情報を駅務装置２５０に送信する（ステップＳ７０４）。ユーザＩＤに対応付けられた情報は、駅係員が乗車券について精算処理する際に参照する情報であって、決済用情報データベース３３２、効力情報データベース３３４、および入場情報データベース３３６に含まれる情報において、ユーザＩＤ（またはコードＩＤ）に対応付けられた情報のうち一部または全部である。
【０１１８】
ユーザＩＤに対応付けられた情報を受信すると、駅務装置２５０は、所定の処理を実行する（ステップＳ７０６）。所定の処理は、駅務装置２５０が、駅係員の操作に基づいて、精算処理を実行することである。例えば、駅係員は、例えば、利用者からクレジット決済するためのクレジットカード、またはデビッド決済するためのデビッドカードを預かり、預かったカードを用いて精算処理を行う。また、駅係員は、利用者から現金を受領し、受領した現金によって精算処理を行ってもよい。駅務装置２５０は、精算処理の結果をセンターサーバ装置３００に送信する。
【０１１９】
精算処理の結果を取得すると、駅務装置２５０は、精算処理された時刻、および出場駅の識別情報、入出場コードをユーザＩＤに対応するコードＩＤに対応付けて登録する（ステップＳ７０８）。これにより本フローチャートの処理は終了する。
【０１２０】
なお、ユーザＩＤおよびパスワードのうち一方または双方が一致しない場合、例えば、駅係員が、利用者の氏名や、住所等を聞き出し、聞き出した情報に基づいて、センターサーバ装置３００を管理する管理者に、利用者のユーザＩＤおよびパスワードについて問い合わせをしてもよい。問い合わせは、ネットワークＮＷを介して、行われてもよいし、電話により行われてもよい。駅係員は、問い合わせによって取得した利用者のユーザＩＤおよびパスワードを操作部に再入力して、ユーザＩＤに対応付けられた情報を取得し、取得した情報に基づいて精算処理を行う。駅務装置２５０は、精算処理の結果をセンターサーバ装置３００に送信する。
【０１２１】
上述した処理によって、鉄道利用管理システム１は、端末装置１０に不具合が生じた場合であっても、利用者の利用履歴に基づいた精算処理を行うことができる。この結果、利用者にとっての利便性を向上させることができる。
【０１２２】
なお、上述した処理では、利用者が駅構内に入場した後に、端末装置１０に不具合が生じた場合に、駅務装置２５０によって、精算処理がされるものとして説明したが、これに限られない。例えば、上述した処理は、利用者が駅構内に入場する前に行われてもよい。利用者が駅構内に入場する前に、例えば駅係員は、駅務装置２５０を操作して、利用者が端末装置１０を操作して購入した乗車券をキャンセルする処理を行ってもよい。この場合、駅係員は、駅務装置２５０を操作して、ユーザＩＤと、パスワードと、購入済みであり且つ未使用の乗車券をキャンセルすることとを指示する情報をセンターサーバ装置３００に送信する。センターサーバ装置３００は、駅務装置２５０から取得した情報に基づいて、キャンセル対象の乗車券に対応するレコード（効力情報）を、効力情報データベース３３４から削除または無効化する。
【０１２３】
以上説明した第１の実施形態によれば、センターサーバ装置３００は、端末装置１０または自動改札機１００と通信するサーバ側通信部３０５と、サーバ側通信部３０５により端末装置１０からログイン情報を受け付けた場合、サーバ側通信部３０５により端末装置から受信された第１画像要求情報に基づいて、端末装置１０の利用者が駅構内に入場するための入場用情報を含む第１画像を端末装置に表示させるための情報を生成し、サーバ側通信部３０５を用いて、生成した情報を端末装置１０に送信し、サーバ側通信部３０５により自動改札機１００から受信された第２画像要求情報に基づいて、端末装置の利用者が駅構外に出場するための出場用情報を含む第２画像を端末装置１０に表示させるための情報を生成し、サーバ側通信部３０５を用いて、生成した情報を端末装置に送信し、第１画像を端末装置１０に表示させるための情報を生成して端末装置１０に送信してから、第２画像を表示した端末装置１０が自動改札機１００に翳されるまでの間に、第１画像を端末装置１０に表示させるための情報を生成する基となったログイン情報と同じログイン情報を、サーバ側通信部３０５により端末装置１０から受け付けた場合、第１画像または第２画像と同様に機能する画像を端末装置１０に表示させるための情報を、サーバ側通信部３０５を用いて端末装置１０に送信するアプリ連携処理部３１２とを持つことにより、利用者にとっての利便性を向上させることができる。
【０１２４】
また、上述した第１の実施形態によれば、利用者が保有する端末装置１０に読取画像ＣＤを表示させることで端末装置１０を乗車券の媒体として利用するため、紙券やＩＣカードなどの発行に係る負担、および資源の消費量を低減することができる。一般的に、ＩＣカードや磁気券を発行した場合、ＩＣカードの返却や磁気券の払い戻しがなされると、駅務の負担が増加したり、ＩＣカードや磁気券の破棄に係る費用が増加したりする問題があった。また、紙の原料となる樹木、ＩＣチップの電子部品、プラスチックの原料となる石油などの資源を消費してしまうという問題もあった。これに対して、本実施形態では、利用者が保有する端末装置１０を媒体として利用するため、種々の運用コストを低減させることができる。
【０１２５】
また、上述した第１の実施形態によれば、センターサーバ装置３００を経由して端末装置１０に入出場情報が送信されるため、入出場情報を自動改札機１００に配信する必要がなくなる。例えば、出場用読取画像の元となる画像生成情報内に入場情報を含めない場合、端末装置１０を保有する利用者の入場管理は、センターサーバ装置３００側で行う必要がある。この場合、例えば、センターサーバ装置３００により管理される入場情報データベース３３６を各駅の自動改札機１００に配信することで、自動改札機１００側で入場が済んだ端末装置１０と、そうでない端末装置１０とを選り分け通過可否の判定を行うことが考えられる。このように、複数の自動改札機１００に入場情報データベース３３６を配信した場合、自動改札機１００およびセンターサーバ装置３００の通信負荷が増大したり、自動改札機１００側で大容量の記憶媒体を備えている必要が生じたりする場合がある。これに対して、本実施形態では、端末装置１０が、効力情報と入場情報とを含む画像生成情報に基づいて出場用読取画像を表示するため、自動改札機１００は、出場処理時に出場用読取画像から読み取った効力情報と入場情報のみで通過可否の判定を行うことができる。この結果、自動改札機１００の構成を簡素なものとすることができ、自動改札機１００とセンターサーバ装置３００との間の通信負荷を低減することができる。
【０１２６】
また、上述した第１の実施形態によれば、端末装置１０にインストールされた乗車券購入アプリ３１を用いて乗車券を購入すると端末装置１０が乗車券の媒体として扱われることになるため、利用者にとっての利便性を向上させると共に、発券機前で生じる待ち行列などの発生を抑制し、駅の混雑を解消することができる。
【０１２７】
（第１の実施形態の変形例）
以下、第１の実施形態の変形例について説明する。上述した第１の実施形態では、自動改札機１００が利用者の通過可否の判定を行うものとして説明したが、係る判定をセンターサーバ装置３００が行ってもよい。すなわち、通過可否判定部１５６は、センターサーバ装置３００が有する構成であってもよい。この場合、自動改札機１００は、読取画像ＣＤから読み取った各種情報（入場情報、出場情報として例示したもののうち一部または全部）をセンターサーバ装置３００に送信する。センターサーバ装置３００における通過可否判定部は、サーバ側通信部３０５を用いて、自動改札機１００により送信された情報を受信し、自動改札機１００に端末装置１０を翳した利用者の通過可否を判定する。センターサーバ装置３００における通過可否判定部は、サーバ側通信部３０５を用いて、判定結果を自動改札機１００に送信する。そして、自動改札機１００における通過制御部１５８は、センターサーバ装置３００により送信された通過可否の判定結果に応じて、利用者の通過を制御する。
【０１２８】
また、上述した第１の実施形態では、端末装置１０において起動された乗車券購入アプリ３１の機能によって読取画像ＣＤを表示するものとして説明したがこれに限られない。例えば、読取画像ＣＤは、端末装置１０のウェブブラウザによって表示されたウェブページ上に表示されてもよい。この場合、センターサーバ装置３００は、ウェブサーバとして機能するものであってよい。例えば、端末装置１０は、読取画像ＣＤが画像として表示されるウェブページへアクセスするために、ＨＴＴＰ（Hypertext Transfer Protocol）リクエストをセンターサーバ装置３００に送信する。そして、端末装置１０は、センターサーバ装置３００から返信されたＨＴＴＰレスポンスに基づいてウェブページをタッチパネル部に表示させる。ＨＴＴＰレスポンスとして送信されるデータには、少なくとも読取画像ＣＤの画像データが含まれる。この結果、端末装置１０は、画像データに基づいて読取画像ＣＤを表示することになる。なお、読取画像ＣＤを含むウェブページは、パスワード入力などによるユーザ認証が得られたことを条件に、端末装置１０に返信される。
【０１２９】
また、上述した第１の実施形態では、駅務サーバ装置２００は、単に自動改札機１００とセンターサーバ装置３００との通信を中継するものとして説明したがこれに限られない。例えば、駅務サーバ装置２００には、センターサーバ装置３００の構成要素の一部または全部が備えられていてもよい。
【０１３０】
（第２の実施形態）
以下、第２の実施形態における鉄道利用管理システム１Ａについて説明する。第２の実施形態における鉄道利用管理システム１Ａでは、電子マネーやクレジット決済を利用することを前提に、読取画像ＣＤに効力情報の一部を含めない点で、第１の実施形態と相違する。すなわち、本実施形態における入場用読取画像の画像生成情報には、コードＩＤが含まれるものの、有効期間、入場駅（発駅）の識別情報、乗車可能区間などは省略されてよい。以下では、係る相違点を中心に説明し、共通する部分についての説明は省略する。
【０１３１】
図２０は、乗車券購入アプリ３１が起動された際に、端末装置１０のタッチパネル部に乗車券購入のための入力画面が表示された様子の他の例を示す図である。この入力画面は、予めユーザ登録をしておき、例えばユーザＩＤやパスワードを入力してログインした後に、所定の操作をすることで表示される。本実施形態における入力画面では、乗車区間や乗車日などを入力する領域が省略され、日本語や英語といった言語を設定する領域Ａ１、および乗車券の発行要求を確定するためのボタンＢ１が設けられる。例えば、入力画面において、乗車券の発行を確定する入力（図中ＹＥＳ）が操作された場合、端末装置１０の端末側通信部１３は、センターサーバ装置３００に画像要求情報を送信し、センターサーバ装置３００から画像要求情報に対応したレスポンスとしてコードＩＤを含む画像生成情報を受信する。乗車券購入処理部１４は、画像生成情報に含まれるコードＩＤを画像にエンコードして入場用読取画像を生成し、タッチパネル部に表示させる。なお、コードＩＤは、乗車券購入アプリ３１のインストールなどのタイミングで予め端末側記憶部３０に記憶されていてもよい。この場合、乗車券購入処理部１４は、予め端末側記憶部３０に記憶させておいたコードＩＤを読み出して、当該コードＩＤを画像にエンコードすることで入場用読取画像をタッチパネル部に表示させる。また、コードＩＤを含む画像生成情報は、既に画像にエンコードされた画像データであってもよい。このような処理によって、端末装置１０の画面には、効力情報の一部情報であるコードＩＤのみが含まれた入場用読取画像が表示されることになる。
【０１３２】
図２１は、第２の実施形態における自動改札機１００Ａによる処理の流れの一例を示すフローチャートである。自動改札機１００Ａの画像処理部１５４は、読取部１１１（１３１）に読取画像ＣＤが翳されるまで待機し（ステップＳ８００）、読取画像ＣＤが翳されると、読取部１１１（１３１）のカメラＣＡＭにより撮像された画像から読取画像ＣＤを抽出し、抽出した読取画像ＣＤをデコードして、読取画像ＣＤに含まれる情報を取得する（ステップＳ８０２）。
【０１３３】
次に、通過可否判定部１５６は、画像処理部１５４により取得された情報にコードＩＤと入場情報が含まれているか否かを判定する（ステップＳ８０４）。通過可否判定部１５６は、コードＩＤのみが含まれている場合、現在行っている処理が利用者の入場を管理する処理（入場処理）であるか否かを判定する（ステップＳ８０６）。
【０１３４】
現在行っている処理が入場処理である場合、通過可否判定部１５６は、利用者の通過を許可する。これを受けて、通過制御部１５８は、扉部１１４、１１５、１３４、１３５、スピーカ１４０、上面表示部１１２、１３２、正面表示部１１３、１３３、タッチ面表示部ＰＮを制御して、利用者を通過させる（ステップＳ８０８）。そして、通信制御部１５２は、改札機側通信部１４５を用いて、画像処理部１５４により取得されたコードＩＤと、自機が設置された駅の識別情報および読取画像ＣＤが翳された時刻を含む入場情報とをセンターサーバ装置３００に送信する（ステップＳ８１０）。
【０１３５】
一方、通過可否判定部１５６は、画像処理部１５４により取得された情報にコードＩＤのみが含まれており、且つ現在行っている処理が入場処理でない場合、利用者の通過を禁止する。すなわち、通過可否判定部１５６は、出場処理中に誤って入場用読取画像が翳されたものと判定する。これを受けて、通過制御部１５８は、扉部１１４、１１５、１３４、１３５、スピーカ１４０、上面表示部１１２、１３２、正面表示部１１３、１３３、タッチ面表示部ＰＮを制御して、利用者の通過を防ぐ（ステップＳ８１２）。
【０１３６】
一方、通過可否判定部１５６は、画像処理部１５４により取得された情報にコードＩＤおよび入場情報の双方が含まれている場合、現在行っている処理が利用者の出場を管理する処理（出場処理）であるか否かを判定する（ステップＳ８１４）。
【０１３７】
現在行っている処理が出場処理である場合、通過可否判定部１５６は、利用者の通過を許可する。これを受けて、通過制御部１５８は、Ｓ８０８の処理を行い、利用者を通過させる。そして、通信制御部１５２は、Ｓ８１０の処理として、改札機側通信部１４５を用いて、画像処理部１５４により取得されたコードＩＤおよび入場情報と、自機が設置された駅の識別情報および読取画像ＣＤが翳された時刻を含む出場情報とをセンターサーバ装置３００に送信する。これによって、センターサーバ装置３００における決済処理部３１４は、入場情報に含まれる入場駅の識別情報と、出場情報に含まれる出場駅の識別情報とに基づいて運賃を算出することで、利用者が実際に利用した区間での運賃を請求する。
【０１３８】
一方、通過可否判定部１５６は、画像処理部１５４により取得された情報にコードＩＤおよび入場情報の双方が含まれており、且つ現在行っている処理が出場処理でない場合、利用者の通過を禁止する。すなわち、通過可否判定部１５６は、入場処理中に誤って出場用読取画像が翳されたものと判定する。これを受けて、通過制御部１５８は、Ｓ８１２の処理を行って、利用者の通過を防ぐ。これによって、本フローチャートの処理が終了する。
【０１３９】
なお、第２の実施形態における鉄道利用管理システム１Ａは、第１の実施形態における鉄道利用管理システム１の処理と同様の処理を実行してもよい。例えば、利用者が端末装置１０に表示された読取画像ＣＤの画像（第１画像）を入場駅に設けられた自動改札機１００に翳す前に、端末装置１０に不具合が生じた場合、センターサー装置３００は、上記端末装置１０とは異なる端末装置１０から送信された利用者の乗車券の再発行の要求を示す情報に基づいて、入場駅から駅構内に入場するための乗車券として機能する読取画像ＣＤ−１の画像を再発行してもよい。例えば、利用者が、入場駅に設けられた自動改札機１００を通過した後であり、且つ端末装置１０に表示された読取画像ＣＤの画像（第２画像）を出場駅に設けられた自動改札機１００に翳す前に、端末装置１０に不具合が生じた場合、センターサー装置３００は、上記端末装置１０とは異なる端末装置１０から送信された利用者の乗車券の再発行の要求を示す情報に基づいて、駅構外から出場するための乗車券として機能する読取画像ＣＤ−２の画像を再発行してもよい。
【０１４０】
以上説明した第２の実施形態によれば、乗車券購入アプリ３１の入力画面において、読取画像ＣＤの表示に最小限必要な入力項目を入力するための領域のみが設けられ、読取画像ＣＤに含まれる情報から利用者が実際に利用した乗車区間に係る運賃が算出されるため、利用者が事前に乗車区間ごとの運賃を把握しなくとも鉄道を利用することができる。この結果、さらに利用者にとっての利便性を向上させることができる。
【０１４１】
（第２の実施形態の変形例）
以下、第２の実施形態の変形例について説明する。第２の実施形態の変形例では、第１の実施形態の変形例と同様に、センターサーバ装置３００が利用者の通過可否の判定を行ってもよい。この場合、センターサーバ装置３００は、通過可否判定部を有する。センターサーバ装置３００における通過可否判定部は、図２０のフローチャートにおいて、画像処理（Ｓ８０２）の結果を自動改札機１００Ａから受信して、Ｓ８０６、Ｓ８１４の処理を行う。この際、センターサーバ装置３００における通過可否判定部は、Ｓ８０６とＳ８０８との間に、利用制限に抵触するか否かを判定してもよい。利用制限とは、予めチャージされた電子マネーの範囲内であること、クレジットカードの限度額以内であることなどである。例えば、駅の窓口などにおいて事前に電子マネーのチャージ額や、クレジットカードの限度額を申請することで、決済用情報データベース３３２には、ユーザＩＤに対して、電子マネーのチャージ額やクレジットカードの限度額などが対応付けられる。
【０１４２】
センターサーバ装置３００における通過可否判定部は、Ｓ８０６の判定において肯定的な判定結果（ＹＥＳ判定）を得た場合、決済用情報データベース３３２を参照して、最低料金（例えば一駅分の運賃）分の金額が電子マネーとしてチャージされているか否か、或いは最低料金分の金額を課金した場合にクレジットカードの限度額を超えるか否かを判定する。センターサーバ装置３００における通過可否判定部は、電子マネーのチャージ額が最低料金未満の場合、または最低料金分の金額を課金した場合にクレジットカードの限度額を超える場合には通過を禁止し、他の場合には通過を許可する。
【０１４３】
また、センターサーバ装置３００における通過可否判定部は、Ｓ８１４の判定において肯定的な判定結果（ＹＥＳ判定）を得た場合、入場駅から出場駅までの利用区間に係る運賃分の金額が電子マネーとしてチャージされているか否か、或いは運賃分の金額を課金した場合にクレジットカードの限度額を超えるか否かを判定する。センターサーバ装置３００における通過可否判定部は、電子マネーのチャージ額が運賃未満の場合、または運賃分の金額を課金した場合にクレジットカードの限度額を超える場合には通過を禁止し、他の場合には通過を許可する。
【０１４４】
以上説明した少なくとも一つの実施形態によれば、センターサーバ装置３００は、端末装置１０または自動改札機１００と通信するサーバ側通信部３０５と、サーバ側通信部３０５により端末装置１０からログイン情報を受け付けた場合、サーバ側通信部３０５により端末装置から受信された第１画像要求情報に基づいて、端末装置１０の利用者が駅構内に入場するための入場用情報を含む第１画像を端末装置に表示させるための情報を生成し、サーバ側通信部３０５を用いて、生成した情報を端末装置１０に送信し、サーバ側通信部３０５により自動改札機１００から受信された第２画像要求情報に基づいて、端末装置の利用者が駅構外に出場するための出場用情報を含む第２画像を端末装置１０に表示させるための情報を生成し、サーバ側通信部３０５を用いて、生成した情報を端末装置に送信し、第１画像を端末装置１０に表示させるための情報を生成して端末装置１０に送信してから、第２画像を表示した端末装置１０が自動改札機１００に翳されるまでの間に、第１画像を端末装置１０に表示させるための情報を生成する基となったログイン情報と同じログイン情報を、サーバ側通信部３０５により端末装置１０から受け付けた場合、第１画像または第２画像と同様に機能する画像を端末装置１０に表示させるための情報を、サーバ側通信部３０５を用いて端末装置１０に送信するアプリ連携処理部３１２とを持つことにより、利用者にとっての利便性を向上させることができる。
【０１４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４６】
１…鉄道利用管理システム、１０…端末装置、１００…自動改札機、２００…駅務サーバ装置、３００…センターサーバ装置、３０５…サーバ側通信部、３１０…サーバ側制御部、３１２…アプリ連携処理部
【図１】
2018032163.tif 000003
【図２】
2018032163.tif 000004
【図３】
2018032163.tif 000005
【図４】
2018032163.tif 000006
【図５】
2018032163.tif 000007
【図６】
2018032163.tif 000008
【図７】
2018032163.tif 000009
【図８】
2018032163.tif 000010
【図９】
2018032163.tif 000011
【図１０】
2018032163.tif 000012
【図１１】
2018032163.tif 000013
【図１２】
2018032163.tif 000014
【図１３】
2018032163.tif 000015
【図１４】
2018032163.tif 000016
【図１５】
2018032163.tif 000017
【図１６】
2018032163.tif 000018
【図１７】
2018032163.tif 000019
【図１８】
2018032163.tif 000020
【図１９】
2018032163.tif 000021
【図２０】
2018032163.tif 000022
【図２１】
2018032163.tif 000023